(57)【要約】【課題】マゼミが産卵しようとしても、光ファイバ心線が損傷又は断線に至らない光ファイバケーブルを提供するものである。【解決手段】本発明に係る光ファイバケーブル３０は、１本以上の光ファイバテープ心線１５と抗張力体１６，１６を、熱可塑性樹脂で一括成形被覆してなるものであって、一括被覆体１８の内部の、光ファイバテープ心線１５の外周に、硬度（ショアＤ）が６５以上、厚さが０．１５mm以上の熱可塑性樹脂からなる保護材１７を配置し、且つ上記保護材にノッチ部を設けたものである。【選択図】      図１
2007127848.tif 000002
【特許請求の範囲】
【請求項１】
１本以上の光ファイバ心線又は複数本の光ファイバ心線を紫外線硬化型樹脂で被覆成形してなる１本以上の光ファイバテープ心線と抗張力体を、熱可塑性樹脂で一括成形被覆してなる光ファイバケーブルにおいて、上記一括被覆体の内部の、上記光ファイバ心線又は上記光ファイバテープ心線の外周に、硬度（ショアＤ）が６５以上、厚さが０．１５mm以上の熱可塑性樹脂からなる保護材を配置し、且つ上記保護材に光ファイバ心線又は光ファイバテープ心線を取り出すためのノッチ部を設けたことを特徴とする光ファイバケーブル。
【請求項２】
上記光ファイバ心線又は上記光ファイバテープ心線、上記抗張力体、及び上記保護材に加え、更に金属製の支持線を、上記熱可塑性樹脂で一括成形被覆した請求項１記載の光ファイバケーブル。
【請求項３】
上記保護材において、光ファイバ心線又は光ファイバテープ心線を取り出すためのノッチ部を、保護材の短幅面に設けた請求項１又は２記載の光ファイバケーブル。
【請求項４】
上記保護材の厚さをＲｔ、上記光ファイバ心線の半径をＲｏ、光ファイバ心線最外層と保護材とのギャップ間隔をＲｇ、保護材の引張降伏伸度をε、光ファイバケーブルの曲率半径をＲ、光ファイバケーブルの曲げ中心と光ファイバ心線の中心のずれをＲｚとした際、以下に示す（１）式を満足する請求項１乃至３のいずれかに記載の光ファイバケーブル。
（Ｒｏ＋Ｒｔ＋Ｒｇ＋Ｒｚ）／Ｒ≦ε・・・（１）
【請求項５】
上記光ファイバ心線又は上記光ファイバテープ心線の長幅方向長さをＬｏ（mm）、光ファイバケーブルの長幅方向長さをＬｃ（mm）、上記保護材の長幅方向長さをＬｇ（mm）とした際、以下に示す（２）式を満足する請求項１乃至４のいずれかに記載の光ファイバケーブル。
Ｌｏ＋０．３mm＜Ｌｇ≦Ｌ・・・（２）
【発明の詳細な説明】
【技術分野】
【０００１】
本発明は、光ファイバケーブルに係り、特に、引き込み線として用いられる光ファイバケーブルに関するものである。
【背景技術】
【０００２】
近年、個人家屋や企業などにおいて、インターネット回線や専用回線といった通信線として、光ファイバケーブルが引き込まれている。
【０００３】
これら引き込み線として用いられる従来の光ファイバケーブルは、図５に示すように、複数本の光ファイバ心線７１を紫外線硬化型樹脂７２で被覆成形してなる１本以上の光ファイバテープ心線７３と、光ファイバテープ心線７３と平行に配置された抗張力体７４，７４及び亜鉛メッキ鋼線（支持線）７５と、難燃処方を施したポリエチレンをベースとした熱可塑性樹脂からなり、光ファイバテープ心線７３、抗張力体７４，７４、及び亜鉛メッキ鋼線７５を一括成形被覆する一括被覆体７６で構成される。
【０００４】
従来の光ファイバケーブルにおいては、光接続作業時、光ファイバ心線７１を取り出すために、ケーブル本体部の長幅方向（図５中では上下方向）の中央部にＶ溝ノッチ部（図示せず）を設け、そのＶ溝ノッチ部より一括被覆体７６を上下に切り離すことで、光ファイバ心線７１を取り出していた。
【０００５】
なお、本発明に関連する先行技術文献情報としては、次のものがある。
【０００６】
【特許文献１】特開２００３−３１５６４０号公報
【特許文献２】特開２００４−２７１８７０号公報
【発明の開示】
【発明が解決しようとする課題】
【０００７】
ところで、夏季に発生するセミ、特にクマゼミが、この光ファイバケーブルに産卵することで、セミの産卵管によって光ファイバ心線７１に損傷又は断線が生じるといった事例が報告されている。この損傷又は断線の発生原因の１つとして、Ｖ溝ノッチ部が、クマゼミの産卵管を光ファイバ心線７１まで到達させるためのガイドとなってしまうため、光ファイバ心線７１の損傷又は断線の確率が増しているということがわかっている。
【０００８】
そのため、Ｖ溝ノッチ部をなくした構造の光ファイバケーブルが開発され、工具などで一括被覆体７６に切り欠き傷を付けることで、光ファイバ心線７１を取り出すように提案された（特願２００４−３４８６５１号などを参照）。これによって、クマゼミによる光ファイバ心線７１の損傷又は断線の確率は減ったが、完全にセミの産卵管による損傷又は断線を防ぐまでには至っていない。
【０００９】
以上の事情を考慮して創案された本発明の目的は、クマゼミが産卵しようとしても、光ファイバ心線が損傷又は断線に至らない光ファイバケーブルを提供することにある。
【課題を解決するための手段】
【００１０】
上記目的を達成すべく請求項１に係る発明は、１本以上の光ファイバ心線又は複数本の光ファイバ心線を紫外線硬化型樹脂で被覆成形してなる１本以上の光ファイバテープ心線と抗張力体を、熱可塑性樹脂で一括成形被覆してなる光ファイバケーブルにおいて、一括被覆体の内部の、光ファイバ心線又は光ファイバテープ心線の外周に、硬度（ショアＤ）が６５以上、厚さが０．１５mm以上の熱可塑性樹脂からなる保護材を配置し、且つ保護材に光ファイバ心線又は光ファイバテープ心線を取り出すためのノッチ部を設けたことを特徴とする光ファイバケーブルである。
【００１１】
請求項２に係る発明は、光ファイバ心線又は光ファイバテープ心線、抗張力体、及び保護材に加え、更に金属製の支持線を、熱可塑性樹脂で一括成形被覆した請求項１記載の光ファイバケーブルである。
【００１２】
請求項３に係る発明は、保護材において、光ファイバ心線又は光ファイバテープ心線を取り出すためのノッチ部を、保護材の短幅面に設けた請求項１又は２記載の光ファイバケーブルである。
【００１３】
請求項４に係る発明は、保護材の厚さをＲｔ、光ファイバ心線の半径をＲｏ、光ファイバ心線最外層と保護材とのギャップ間隔をＲｇ、保護材の引張降伏伸度をε、光ファイバケーブルの曲率半径をＲ、光ファイバケーブルの曲げ中心と光ファイバ心線の中心のずれをＲｚとした際、以下に示す（１）式を満足する請求項1乃至３のいずれかに記載の光ファイバケーブルである。
（Ｒｏ＋Ｒｔ＋Ｒｇ＋Ｒｚ）／Ｒ≦・・・（１）
【００１４】
請求項５に係る発明は、光ファイバ心線又は光ファイバテープ心線の長幅方向長さをＬｏ（mm）、光ファイバケーブルの長幅方向長さをＬｃ（mm）、保護材の長幅方向長さをＬｇ（mm）とした際、以下に示す（２）式を満足する請求項１乃至４のいずれかに記載の光ファイバケーブルである。
Ｌｏ＋０．３mm＜Ｌｇ≦Ｌｃ・・・（２）
【発明の効果】
【００１５】
本発明によれば、セミが光ファイバケーブルのケーブル本体部に産卵を行っても、光ファイバ心線又は光ファイバテープ心線に損傷又は断線が生じることがないという優れた効果を発揮する。
【発明を実施するための最良の形態】
【００１６】
以下、本発明の好適一実施の形態を添付図面に基づいて説明する。
【実施例】
【００１７】
本発明の好適一実施の形態に係る光ファイバケーブルの横断面図を図１に示す。
【００１８】
図１に示すように、本実施の形態に係る光ファイバケーブル３０の基本的な構造は、図５に示した従来の光ファイバケーブルと同様であるが、クマゼミの産卵管から光ファイバ心線１３、光ファイバテープ心線１５を保護するために、保護材１７を光ファイバテープ心線１５の保護層とし、一括被覆体１８の内部に、光ファイバテープ心線１５と保護材１７が一体となった被覆光ファイバ３５を設け、且つ保護材１７にＶ溝からなるノッチ部２０を設けたことに特徴がある。
【００１９】
この被覆光ファイバ３５は、例えば、積層した光ファイバテープ心線１５の外周に押出被覆することで得られる。また、熱可塑性樹脂でＶ溝を含んだパイプ（管体）を形成し、そのパイプ内に光ファイバテープ心線１５を挿入し、被覆光ファイバ３５を形成しても良い。
【００２０】
光ファイバケーブル３０は、主にケーブル本体部３１と支持線部１２で構成される。ケーブル本体部３１は、複数本（図１中では４本を図示）の光ファイバ心線１３を紫外線硬化型樹脂１４で一括成形被覆してなる１本以上（図１中では２本を図示）の光ファイバテープ心線１５と、抗張力体１６，１６と、保護材１７と、熱可塑性樹脂製の一括被覆体１８の一部で構成される。光ファイバテープ心線１５と保護材１７は、当接していてもよく、また、離間していてもよい。支持線部１２は、金属線材からなる線材本体（支持線）１９と、一括被覆体１８の残部で構成される。光ファイバテープ心線１５、抗張力体１６，１６、及び線材本体１９は平行に、且つ一平面上に配置される。
【００２１】
保護材１７は、熱可塑性樹脂からなる。保護材１７を構成する熱可塑性樹脂は、クマゼミが産卵管を貫通させることができない硬度、すなわち硬度（ショアＤ）が６５以上とされる。また、保護材１７の長幅面の厚さ（図１中では左右方向の肉厚）は、０．１５mm以上とされる。保護材１７の厚さが０．１５mm未満だと、熱可塑性樹脂の硬度（ショアＤ）が６５以上であっても、クマゼミの産卵管が保護材１７を貫通してしまう。
【００２２】
次に、本実施の形態の作用を説明する。
【００２３】
クマゼミは枯れ木に産卵する性質を持っている。これは、生木に産卵した場合、産み付けた卵が生木の成長に伴って潰されてしまうためであると言われている。また、枯れ木に卵を産み付けた場合、卵から孵化した幼虫が地表に落下し易いことも理由の１つと言われている。
【００２４】
ここで、クマゼミが引き込み用光ファイバケーブルに産卵するのは、クマゼミが引き込み用光ファイバケーブルを枯れ木と誤認し、産卵してしまうためと言われている。産卵時にクマゼミが掘削する穴の深さは、２〜３mm程度であるが、現在使用されている引き込み用光ファイバケーブルの短幅方向長さ（図５中では左右方向の長さ）寸法は２〜４mmである。このため、クマゼミの産卵が引き込み用光ファイバケーブルに対して行われた場合、光ファイバ心線が損傷又は断線することは容易に想像できる。
【００２５】
そこで、本発明者は、クマゼミの繁殖地域である沖縄県西原町と大阪府池田市にて、本実施の形態に係る光ファイバケーブルの検証を行った。
【００２６】
検証には縦１ｍ×横１ｍ×高さ２ｍのケージを準備し、そのケージ内に捕獲した雌のクマゼミを放し、屋内実験を行った。図４に示すように、ケージ６１内には、表１に示すサンプルＡ〜Ｈの保護材を用いた光ファイバケーブル６２がそれぞれ格子状に張り渡される。各光ファイバケーブル６２は、それぞれ１０ｍずつ用いた。また、ケージ６１内には、クマゼミ６３が好む樹液を出す木６４が中央に配置される。これは、クマゼミ６３の生命を維持するためであり、産卵活動を活発化させるために行った。
【００２７】
【表１】
2007127848.tif 000003
【００２８】
各光ファイバケーブル６２に約２０箇所の産卵箇所が確認された後、各光ファイバケーブル６２の損失増加量を測定した。その後、各光ファイバケーブル６２を解体して光ファイバ心線及び保護材の損傷及び断線を調査した。
【００２９】
表１に示すように、保護材の厚さが０．１５mm以上の場合、硬度（ショアＤ）が６５未満の保護材（サンプルＡ〜Ｃ）はクマゼミの産卵管が貫通していることが確認できた。しかし、硬度（ショアＤ）が６５以上の保護材（サンプルＤ〜Ｈ）では、保護材の最外層には損傷が確認されるものの、保護材をクマゼミの産卵管が貫通するまでには至らないことがわかった。
【００３０】
クマゼミが引き込み用光ファイバケーブルに産卵を行う際、産卵管を光ファイバケーブルに約３０度から４０度程度の進入角度で差し込み、産卵を行う。進入角度が大きい場合、硬度（ショアＤ）が６５未満の保護材は貫通される。一方、進入角度が比較的小さい場合、つまり３０度程度の場合、硬度（ショアＤ）が６５未満の保護材であっても貫通までには至らない。
【００３１】
本実施の形態に係る光ファイバケーブルの保護材であるサンプルＤ〜Ｈは、硬度（ショアＤ）が６５以上の熱可塑性樹脂で構成されているため、進入角度が大きい場合であっても、保護材は貫通されない。このため、クマゼミは、その場所での産卵を諦めて、次の産卵場所に移動するということが確認できた。また、その産卵を諦めた場所を解体して確認したところ、保護材については若干の損傷が確認されたが、光ファイバ心線については損傷又は断線に至るまでではないことが確認できた。
【００３２】
保護材の厚さが０．１０mm、０．１５mmの各試料を準備して同様の試験を実施した。その結果、保護材の厚さが０．１０mmの試料の場合、硬度（ショアＤ）が１２０の樹脂で構成しても、光ファイバ心線の損傷が確認できた。一方、保護材の厚さが０．１５mmの試料の場合、硬度（ショアＤ）が６５の樹脂で構成しても、光ファイバ心線の損傷は確認されなかった。この結果、保護材に熱可塑性樹脂を用いる場合には、保護材の厚さを０．１５mm以上確保する必要があることがわかった。
【００３３】
次に、保護材の厚さが０．３０mmの試料を準備して同様の試験を実施した。硬度（ショアＤ）が６４の樹脂からなる試料を用いた光ファイバケーブルでは、保護材の損傷は認められたものの貫通は確認できなかった。しかし、クマゼミが産卵を行う際に、産卵管を保護材に局所的に押し付け、保護材に塑性変形によるくぼみが発生することを確認した。この光ファイバケーブルの伝送損失増加量を測定したところ、伝送損失が０．０５dB増加していた（残留ロスあり）。これに対して、硬度（ショアＤ）が６５の樹脂からなる試料を用いた光ファイバケーブルで同様の試験を実施したところ、保護材に損傷は認められたものの、前記のような塑性変形によるくぼみは発生しなかった。また、この光ファイバケーブルの伝送損失増加量を測定したところ、伝送損失の増加は認められなかった（残留ロスなし）。
【００３４】
つまり、硬度（ショアＤ）が６５以上の熱可塑性樹脂からなり、且つ厚さが０．１５mm以上の保護材を用いれば、クマゼミによる光ファイバケーブルへの産卵行動が行われたとしても、クマゼミの産卵管によって光ファイバ心線が損傷又は断線に至ることはなく、また、伝送損失の増加もないということが確認できた。
【００３５】
このように、本実施の形態に係る光ファイバケーブル３０は、一括被覆体１８の内部の、光ファイバテープ心線１５の外周に保護材１７を配設しているため、クマゼミが光ファイバケーブル３０に対して産卵を行ったとしても、クマゼミの産卵管は保護材１７の位置までしか達しないため、光ファイバ心線１３に損傷や断線が生じるおそれはない。
【００３６】
さらに、保護材において、クマゼミの産卵管から光ファイバ心線１３又は光ファイバテープ心線１５を保護するために、長幅面の厚さは０．１５mm以上が必要であるため、光ファイバ心線１３又は光ファイバテープ心線１５を取り出すためのＶ溝からなるノッチ部２０は、保護材１７の短幅面に設けるのが好適である。保護材１７の短幅面にＶ溝からなるノッチ部２０を設けることにより、クマゼミの産卵管から光ファイバ心線１３又は光ファイバテープ心線１５を保護し、且つ保護材１７のＶ溝からなるノッチ部２０を切り離すことで容易に光ファイバ心線１３又は光ファイバテープ心線１５を取り出すことができる。
【００３７】
一方、保護材１７の降伏伸度が小さい場合、光ファイバケーブル３０を曲げ、保護材１７の最外層（表層部）の伸度が降伏伸度以上となった時に、保護材１７が塑性変形して折れ曲がり、座屈などの発生に至る。その結果、曲げを開放した場合においても、曲げを加える前の形状に戻らなくなるばかりでなく、光ファイバテープ心線１５（光ファイバ心線１３）に恒常的に大きな曲げが加わってしまうこととなり、クマゼミの産卵による被害を防ぐことはできても、実使用上好ましくない。
【００３８】
汎用品として使用されている光ファイバ心線１３の最小曲げ半径は３０mmであるが、この最小曲げ半径で曲げた時の光ファイバ心線１３の曲げ歪は０．２１％となる。本実施の形態に係る光ファイバケーブル３０においては、光ファイバ心線１３の半径をＲｏ、保護材１７の厚さをＲｔ、光ファイバ心線１３の最外層と保護材１７とのギャップ間隔をＲｇ、光ファイバケーブル３０の曲率半径をＲ、光ファイバケーブルの曲げ中心と光ファイバ心線の中心のずれをＲｚとした時に、保護材１７が受ける曲げ歪εは、以下に示す（３）式で表される。
ε＝（Ｒｏ＋Ｒｔ＋Ｒｇ＋Ｒｚ）／Ｒ・・・（３）
【００３９】
ここで、直径０．１２５mmの光ファイバ心線１３に、クマゼミが産卵管を貫通させることができない保護材１７の必要最小限の厚さが０．１５mmであることから、考え得る各パラメータの最小値は、
Ｒｏ≧０．０６２５mm、
Ｒｔ≧０．１５mm、
Ｒｇ=０mm、
Ｒｚ=０mm、
Ｒ≧３０mm、
となる。εの最小値を（３）式から求めるとε≧０．７１％となる。
【００４０】
つまり、保護材１７は少なくとも０．７１％以上の歪を受けることとなり、微小域として考えれば、伸び歪が連続的（恒常的）に加わっていることと一般的に考えられる。よって、本実施の形態に係る光ファイバケーブル３０の保護材１７に用いられる熱可塑性樹脂としては、０．７１％以上の降伏伸びを持つものでないと、光ファイバケーブル３０を３０mm半径で曲げる環境下において使用することができない。つまり、本実施の形態に係る光ファイバケーブル３０の保護材１７は、以下に示す（１）式を満足する熱可塑性樹脂で構成する必要がある。
（Ｒｏ＋Ｒｔ＋Ｒｇ＋Ｒｚ）／Ｒ≦ε・・・（１）
【００４１】
最近の光ファイバ心線は、コアとクラッドの非屈折率差を大きくしたり、コアの周辺に空孔を設けたりすることで、曲げ特性を向上させている。これらの光ファイバ心線１３の最小曲げ半径は２mm〜１５mm程度となるが、その際の曲げ歪εは２mmのときで１０．６％、１５mmのときで１．４２％となるので、（３）式で求めた０．７１％以上の引張降伏伸度を持つ樹脂で保護材１７を構成しなければならない。
【００４２】
保護材１７を構成する硬度（ショアＤ）が６５以上の樹脂としては、例えば、ポリアミド６、ポリアミド６６、ポリアミド１２、ポリアミド６１０、ポリアミド６１２、ポリアミド４６などを主材料とした熱可塑性樹脂が、表面硬度が高いことから好ましい。
【００４３】
保護材１７を構成するその他の樹脂としては、例えば、ＡＢＳ樹脂、ＡＣＳ樹脂、ＡＥＳ樹脂、ＡＢＳ／ＰＶＣアロイ、ＡＳＡ樹脂、エチレン−塩化ビニル共重合体、フッ素樹脂、ポリアミドイミド、ポリアリレート、オレフィンビニルアルコール共重合体、フェノール樹脂、ポリアミド系樹脂(アモルファスポリアミド、変性ポリアミドなど)、ポリブチレンテレフタレート、ポリカーボネート、ポリエーテルスルホン、ポリチオエーテルスルホン、ポリエチレンテレフタレート、ポリイミド、ノルボルネン樹脂、ポリフェニレンエーテル、ポリフェニレンスルフィド、ポリ塩化ビニルなどや、これらの樹脂を主材として、変性又は合成、混合したもの、炭酸カルシウムやチタン酸カリウムウィスカー、カオリン粘土、タルクや雲母などの充填材を添加して硬度を向上させたもの、或いは架橋材を添加した後に架橋させて硬度を向上させたもの、などが挙げられる。
【００４４】
保護材１７の断面形状は、樹脂の押出成形を行うダイスのダイス穴形状によって決定されるものであり、例えば、長方形状の他に、正方形状、扇形状、半楕円状、楕円状、半円状、円状、アーチ状、三角形状、星形状、多角形状などであってもよい。さらに、保護材１７は幅方向に波付き状に湾曲していてもよい。
【００４５】
また、このとき、光ファイバテープ心線１５の長幅方向長さをＬｏ（mm）、光ファイバケーブル３０の長幅方向長さをＬｃ（mm）、保護材１７の長幅方向長さをＬｇ（mm）とした際、各長さは、以下に示す（２）式を満足するように調整される。
Ｌｏ＋０．３mm＜Ｌｇ≦Ｌｃ・・・（２）
【００４６】
また、本実施の形態に係る光ファイバケーブル３０を、家屋内や局舎内で用いられる光ファイバケーブルや、地中管路などのケーブルに適用する場合、支持線部１２は必ずしも必要としないことから、ケーブル本体部３１自体を光ファイバケーブルとして用いてもよい。
【００４７】
また、本実施の形態においては、一括被覆体１８の内部に、積層した光ファイバテープ心線１５を保護材１７の層で覆った被覆光ファイバ３５を有する光ファイバケーブル３０を例に挙げて説明を行ったが、これに限定するものではない。例えば、（光ファイバテープ心線１５を内蔵した）被覆光ファイバ３５の代わりに、図２に示すように、１本以上（図２中では１本を図示）の光ファイバ心線１３の外周に、硬度（ショアＤ）が６５以上の熱可塑性樹脂からなる保護材４７の層を０．１５mm以上の厚さで設け、且つＶ溝からなるノッチ部２０を設けた光ファイバ心線１３のみを内蔵した被覆光ファイバ４５を用いた光ファイバケーブル４０であってもよい。
【００４８】
また、図３に示すように、本発明の別の好適一実施の形態に係る光ファイバケーブル５０は、金属線材からなる線材本体１９の外周をポリエチレンなどで構成される一括被覆体１８で覆ってなる支持線部５２の周りに、複数本（図３中では８本を図示）のケーブル本体部１１を撚り合わせてなる。本実施の形態に係る光ファイバケーブル５０は、引き込み用の光ファイバケーブルとしてではなく、集合ドロップケーブルとして用いることができる。
【００４９】
光ファイバケーブル５０においても、前述した光ファイバケーブル３０，４０と同様の作用効果を得ることができる。
【００５０】
以上、本発明は、上述した実施の形態に限定されるものではなく、他にも種々のものが想定されることは言うまでもない。
【００５１】
また、本発明の光ファイバケーブルは、家屋などへの引き込み用光ファイバケーブルや集合ドロップケーブルとしてだけではなく、電柱間を渡す架線用光ファイバケーブルにも適用可能である。
【００５２】
なお、上記実施例においては、ノッチ部としてＶ溝を用いたが、本発明はこれに限定されるものではなく、クマゼミの産卵管から光ファイバ心線又は光ファイバテープ心線を保護し、且つ容易に光ファイバ心線又は光ファイバテープ心線を取り出すことができるという、ノッチ部としての機能を有するものであるならば、その形状はどのようなものであっても良い。そして、このような機能を有するノッチ部としては、Ｖ溝以外に、半円形溝、四角形溝などが考えられる。
【００５３】
また、上記実施例においては、ケーブル本体部３１，４１の長幅方向（図１、図２中では上下方向）の中央部にＶ溝ノッチ部を設けなかったが、本発明はこれに限定されるものではなく、ケーブル本体部にＶ溝ノッチ部を設けても良い。
【図面の簡単な説明】
【００５４】
【図１】本発明の好適一実施の形態に係る光ファイバケーブルの横断面図である。
【図２】本発明の別の好適一実施の形態に係る光ファイバケーブルの横断面図である。
【図３】本発明の別の好適一実施の形態に係る光ファイバケーブルの横断面図である。
【図４】実験に用いたケージの模式図である。
【図５】従来の光ファイバケーブルの横断面図である。
【符号の説明】
【００５５】
１２  支持線部
１３  光ファイバ心線
１４  紫外線硬化型樹脂
１５  光ファイバテープ心線
１６  抗張力体
１７  保護材
１８  一括被覆体
１９  線材本体（支持線）
２０  ノッチ部
３０  光ファイバケーブル
３１  ケーブル本体部
３５  被覆光ファイバ
４０  光ファイバケーブル
４１  ケーブル本体部
４５  光ファイバ心線のみを内蔵した被覆光ファイバ
４７  保護材
５０  光ファイバケーブル
５２  支持線部
【図１】
2007127848.tif 000004
【図２】
2007127848.tif 000005
【図３】
2007127848.tif 000006
【図４】
2007127848.tif 000007
【図５】
2007127848.tif 000008